(57)【要約】【課題】飲食物の摂取に関する管理を行うことができる電子機器を提供する。【解決手段】電子機器（１００）は、摂取が禁止されている飲食物又は摂取の制限がある飲食物に関するデータを記憶する記憶部（１０４）と、前記記憶部に記憶されている飲食物が摂取されたこと、又は該飲食物が摂取されそうなことを受けて、報知を行う報知部（１１１、１０５，１０８）と、を備えている。【選択図】図１
2018181385.tif 000002
【特許請求の範囲】
【請求項１】
摂取が禁止されている飲食物又は摂取の制限がある飲食物に関するデータを記憶する記憶部と、
前記記憶部に記憶されている飲食物が摂取されたこと、又は該飲食物が摂取されそうなことを受けて、報知を行う報知部と、を備えた電子機器。
【請求項２】
前記記憶部は、薬と関連して、摂取が禁止されている飲食物又は摂取の制限がある飲食物に関するデータを記憶する請求項１に記載の電子機器。
【請求項３】
服用すべき薬の情報を取得する取得部を備え、
前記記憶部は、薬の服用に際して摂取が禁止されている飲食物又は摂取の制限がある飲食物に関するデータを記憶する請求項２に記載の電子機器。
【請求項４】
前記飲食物の摂取を禁止する期間又は前記飲食物の摂取を制限する期間を設定する設定部を備えた請求項１〜３のいずれか一項に記載の電子機器。
【請求項５】
前記薬の服用期間に応じて、前記飲食物の摂取を禁止する期間又は前記飲食物の摂取を制限する期間を設定する設定部を備えた請求項２又は３に記載の電子機器。
【請求項６】
前記記憶部に記憶されている飲食物が摂取されたという情報又は該飲食物が摂取されそうな状態にあるという情報を受信する受信部を備えた請求項１〜５のいずれか一項に記載の電子機器。
【請求項７】
前記受信部は、近接通信又は人体通信により前記情報を受信する請求項６に記載の電子機器。
【請求項８】
前記受信部が受信した情報を外部機器に送信する送信部を備えた請求項６又は７に記載の電子機器。
【請求項９】
前記記憶部は、前記受信部が受信した情報を記憶する請求項６〜８のいずれか一項に記載の電子機器。
【請求項１０】
撮像を行う撮像部と、
前記撮像部が撮像した画像に基づいて、前記記憶部に記憶されている飲食物が摂取されたこと又は該飲食物が摂取されそうなことを検出する検出部と、を備えた請求項１〜９のいずれか一項に記載の電子機器。
【請求項１１】
食品の判別結果を入力する入力部を備え、
前記検出部は、前記撮像部の撮像と前記入力部の入力基づいて、前記記憶部に記憶されている飲食物が摂取されたこと又は該飲食物が摂取されそうなことを検出する請求項１０に記載の電子機器。
【請求項１２】
前記報知部は、前記記憶部に記憶されている飲食物の摂取量に応じて、報知のタイミングを異ならせる請求項１〜１１のいずれか一項に記載の電子機器。
【請求項１３】
前記報知部は、食事に関する報知を行う請求項１〜１２のいずれか一項に記載の電子機器。
【請求項１４】
前記報知部は、前記摂取が禁止されている飲食物又は摂取の制限がある飲食物を表示する表示部を備えている請求項１〜１３のいずれか一項に記載の電子機器。
【請求項１５】
摂取が禁止されている飲食物又は摂取の制限がある飲食物に関するデータを記憶部に記憶し、
前記記憶部に記憶されている飲食物が摂取されたこと、又は該飲食物が摂取されそうなことを受けて、報知を行う、
処理をコンピュータに実行させるプログラム。
【発明の詳細な説明】
【技術分野】
【０００１】
本発明は、電子機器及びプログラムに関する。
【背景技術】
【０００２】
従来、薬局で発行されるお薬手帳は紙媒体で運用されていたが、最近では、お薬手帳の電子化に関する技術が提案されつつある（特許文献１参照）。
【先行技術文献】
【特許文献】
【０００３】
【特許文献１】特開２０１２−１１３５２３号公報
【発明の概要】
【発明が解決しようとする課題】
【０００４】
しかしながら、従来の提案は、薬手帳の電子化に留まっており、患者の食生活については考慮されていなかった。
【０００５】
本発明は上記の課題に鑑みてなされたものであり、飲食物の摂取に関する管理を行うことが可能な電子機器及びプログラムを提供することを目的とする。
【課題を解決するための手段】
【０００６】
本発明の電子機器は、摂取が禁止されている飲食物又は摂取の制限がある飲食物に関するデータを記憶する記憶部と、前記記憶部に記憶されている飲食物が摂取されたこと、又は該飲食物が摂取されそうなことを受けて、報知を行う報知部と、を備えている。
【０００７】
この場合において、前記記憶部は、薬と関連して、摂取が禁止されている飲食物又は摂取の制限がある飲食物に関するデータを記憶することとしてもよい。この場合、服用すべき薬の情報を取得する取得部を備え、前記記憶部は、薬の服用に際して摂取が禁止されている飲食物又は摂取の制限がある飲食物に関するデータを記憶することとしてもよい。
【０００８】
本発明の電子機器では、前記飲食物の摂取を禁止する期間又は前記飲食物の摂取を制限する期間を設定する設定部を備えていてもよい。また、記憶部が、摂取が禁止されている飲食物又は摂取の制限がある飲食物に関するデータを記憶する場合、前記薬の服用期間に応じて、前記飲食物の摂取を禁止する期間又は前記飲食物の摂取を制限する期間を設定する設定部を備えていてもよい。
【０００９】
また、本発明の電子機器では、前記記憶部に記憶されている飲食物が摂取されたという情報又は該飲食物が摂取されそうな状態にあるという情報を受信する受信部を備えていてもよい。この場合において、前記受信部は、近接通信又は人体通信により前記情報を受信することとしてもよい。また、前記受信部が受信した情報を外部機器に送信する送信部を備えていてもよい。また、前記記憶部は、前記受信部が受信した情報を記憶することとしてもよい。また、本発明の電子機器では、撮像を行う撮像部と、前記撮像部が撮像した画像に基づいて、前記記憶部に記憶されている飲食物が摂取されたこと又は該飲食物が摂取されそうなことを検出する検出部と、を備えていてもよい。この場合において、電子機器は、食品の判別結果を入力する入力部を備え、前記検出部は、前記撮像部の撮像と前記入力部の入力基づいて、前記記憶部に記憶されている飲食物が摂取されたこと又は該飲食物が摂取されそうなことを検出することとしてもよい。
【００１０】
また、本発明の電子機器では、前記報知部は、前記記憶部に記憶されている飲食物の摂取量に応じて、報知のタイミングを異ならせることとしてもよい。また、前記報知部は、食事に関する報知を行うこととしてもよい。また、前記報知部は、前記摂取が禁止されている飲食物又は摂取の制限がある飲食物を表示する表示部を備えていてもよい。
【００１１】
本発明のプログラムは、摂取が禁止されている飲食物又は摂取の制限がある飲食物に関するデータを記憶部に記憶し、前記記憶部に記憶されている飲食物が摂取されたこと、又は該飲食物が摂取されそうなことを受けて、報知を行う、処理をコンピュータに実行させるプログラムである。
【発明の効果】
【００１２】
本発明の電子機器及びプログラムは、飲食物の摂取に関する管理を行うことができるという効果を奏する。
【図面の簡単な説明】
【００１３】
【図１】第１の実施形態に係る情報処理システムの構成を示すブロック図である。
【図２】食事をしているユーザの状態を示す図である。
【図３】食べ合わせテーブルの一例を示す図である。
【図４】抵抗値テーブルの一例を示す図である。
【図５】図５（ａ）は、処方薬テーブルの一例を示す図であり、図５（ｂ）は、食事ログの一例を示す図である。
【図６】携帯端末１００の制御部１１１の処理を示すフローチャートである。
【図７】図６のステップＳ３０で送信されるデータの一例を示す図である。
【図８】第２の実施形態に係る情報処理システムの構成を示すブロック図である。
【図９】眼鏡型装置の斜視図である。
【図１０】第２の実施形態に係る外観特徴パラメータテーブルの一例を示す図である。
【発明を実施するための形態】
【００１４】
《第１の実施形態》
以下、第１の実施形態に係る情報処理システムについて、図１〜図７に基づいて、詳細に説明する。図１には、第１の実施形態に係る情報処理システム１の構成がブロック図にて示されている。
【００１５】
情報処理システム１は、ユーザが薬を服用しているときに、服用している薬と食べ合わせの悪い食べ物や飲み物を摂取しないようにユーザに注意を喚起するためのシステムである。
【００１６】
情報処理システム１は、図１に示すように、１又は複数の器具１０と、複数の携帯端末１００、２００と、薬局側端末３００とを備える。
【００１７】
（器具１０）
器具１０は、箸、スプーン、フォークなどの食器であり、ユーザが食べている又は食べようとしている食品や料理（以下、単に、食品と呼ぶ）を検出し、携帯端末１００に送信する機能を有する。器具１０は、図１に示すように、測定電極１１、メモリ部１２、通信部１３及び制御部１４を有している。なお、この器具１０に関しては、本願出願人が先に出願した特願２０１２−２７８３３９号にも記載されている。
【００１８】
測定電極１１は、食品に応じた抵抗値を検出する電極であり、図２に示すように、食品と接触する部分（例えば、フォークの先端）に設けられた電極１１ａと、ユーザの人体と接触する部分（例えば、フォークの持ち手）に設けられた電極１１ｂとを有する。測定電極１１は、「食品→口→人体」の間の抵抗値を検出し、制御部１４に対して出力する。
【００１９】
メモリ部１２は、不揮発性の半導体メモリ（例えば、フラッシュメモリ）を有しており、測定電極１１が測定した抵抗値を記憶する。なお、メモリ部１２に各食品の抵抗値を規定するテーブル（図４のようなテーブル）を記憶させてもよい。なお、スープなどの液体食品も食品のカテゴリに含まれるため、液体食品の抵抗値もテーブルに記憶されるものとする。
【００２０】
通信部１３は、他の機器（例えば携帯端末１００）と通信を行うものであり、例えばBluetooth（登録商標）、ＲＦＩＤ(Radio Frequency Identification)、TransferJet（登録商標）などの近接通信や、人体を介した人体通信などを行う。本第１の実施形態において、通信部１３は、器具１０の持ち手部分に設けられ、ユーザの手と接触する電極部１３ａ（図２参照）を有する人体通信部であるものとする。人体通信部は、バンドパスフィルタを有した電気回路から構成される送信部を有し、送信するデータを変調して送信信号を生成する。なお、人体通信部に受信機能を持たせるようにしてもよい。本第１の実施形態においては、器具１０に接し、ユーザが口にした（摂取した又は摂取しようとした）食品に関して携帯端末１００との間で通信を行う。なお、器具１０は、ユーザの手や口など、ユーザの上半身との接触が可能な器具であるともいえる。
【００２１】
制御部１４は、ＣＰＵを備え、器具１０全体を制御するものであり、本第１の実施形態においては、測定電極１１が測定した食品の抵抗値を通信部１３を介して携帯端末１００に送信する制御を行う。なお、メモリ部１２に各食品の抵抗値のテーブルが記憶されている場合には、制御部１４は、測定値とテーブルの抵抗値とから特定されるユーザが口にした食品の名称を、通信部１３を介して携帯端末１００に送信する。
【００２２】
（携帯端末１００）
携帯端末１００は、ユーザにより携帯された状態で利用される情報機器である。携帯端末１００は、携帯電話、スマートフォン、タブレット型コンピュータ、ＰＨＳ（Personal Handy-phone System）、ＰＤＡ（Personal Digital Assistant）などを採用することができるが、本第１の実施形態では、携帯端末１００は、スマートフォンであるものとする。なお、携帯端末１００は、一例として、家族内において薬を服用しているユーザ（例えば、夫）が所持するものとする。
【００２３】
携帯端末１００は、図１に示すように、人体通信部１０１、無線通信部１０２、位置検出部１０３、記憶部１０４、表示部１０５、タッチパネル１０６、マイク１０７、スピーカ１０８、撮像部１０９、カレンダー部１１０、及び制御部１１１等を有する。
【００２４】
人体通信部１０１は、電極を有し、人体を介して例えば器具１０（通信部１３）との間でデータのやり取りを行うものである。人体通信には、人体に微弱な電流を流して、その電流を変調して情報を伝達する電流方式や、人体の表面に誘起する電界を変調して情報を伝達する電界方式などがあり、電界方式の場合は、ユーザが電極に直接触れていなくても人体通信が可能である。このため、本第１の実施形態では、ユーザがポケット（例えば胸ポケット）に携帯端末１００を入れている場合にも人体通信が成立するように、電界方式が用いられているものとする。なお、携帯端末１００を所持するユーザが女性の場合には、携帯端末１００をポケットではなく、鞄（ポシェットなど）に収納する場合がある。このような場合には、人体通信部１０１に代えて近接通信部を設け、近接通信を利用して、器具１０の通信部１３との間でデータのやり取りを行うこととしてもよい。
【００２５】
無線通信部１０２は、他の携帯端末との通信やネットワークへの接続を可能にするものであり、各種無線通信方式を採用することができる。本第１の実施形態においては、無線通信部１０２は、携帯端末２００に対して、ユーザが摂取した食品に関する情報を送信したり、インターネットなどから薬と食品の食べ合わせに関する情報（後述する食べ合わせテーブル１５０（図３）の情報）を取得したりする。
【００２６】
位置検出部１０３は、一例として、ＧＰＳ（Global Positioning System）モジュールであるものとする。位置検出部１０３は、携帯端末１００の位置（例えば緯度および経度）を検出する。
【００２７】
記憶部１０４は、不揮発性の半導体メモリであり、制御部１１１によって実行される携帯端末１００を制御するためのプログラムや、携帯端末１００を制御するための各種パラメータ、ユーザの食事や服用している薬に関するデータ、薬と食事の食べ合わせに関する情報を記憶する。
【００２８】
記憶部１０４には、例えば、図３に示すような食べ合わせテーブル１５０が格納されているものとする。食べ合わせテーブル１５０は、図３に示すように、薬名、病名、摂取禁止又は制限食品、摂取可能量の各フィールドを有する。薬名のフィールドには、ワルファリンやアスピリンなどの薬の名称が格納される。病名のフィールドには、薬が処方される病気の名称が格納される。摂取禁止又は制限食品のフィールドには、ある薬を服用しているとき、又はある薬に対応する病気を患っているときに摂取が禁止又は制限されている食品の名称が格納される。摂取可能量のフィールドには、×（摂取禁止食品の場合）や、１口、３口、５グラムなど（摂取制限食品の場合）が格納される。
【００２９】
例えば、心筋梗塞や脳梗塞などの病気に対して処方される抗凝固剤であるワルファリンを服用している人は、納豆、きゃべつ、ほうれん草、レタスなどビタミンＫを多く含む食品の摂取を禁止または制限すべきであるため、図３の食べ合わせテーブル１５０に格納されている。なお、ビタミンＫを多く含む食品の摂取を禁止又は制限すべき理由は、ワルファリンが、ビタミンＫの働き（止血作用）を抑えるために処方される薬だからである。また、玉葱は、ワルファリンの効き目を強く出しすぎてしまうため、摂取禁止食品として、格納されている。
【００３０】
同様に、解熱鎮痛剤に対しては、ニンニクや唐辛子が摂取禁止食品として食べ合わせテーブル１５０に格納されている。また、降圧剤、脂質異常症、不整脈の薬と、グレープフルーツが摂取禁止食品として食べ合わせテーブル１５０に格納されている。
【００３１】
なお、薬と食品との食べ合わせに関する詳細な情報は、（http://www.jsmi.jp/book/base_05.html）に記載されている。なお、説明の便宜上、図２の食べ合わせテーブル１５０の摂取可能量のフィールドには、実際の摂取可能量とは異なる値が入力されているものとする。
【００３２】
また、記憶部１０４には、図４に示すような抵抗値テーブル１５２も格納されている。抵抗値テーブル１５２は、食品及び抵抗値のフィールドを有する。なお、抵抗値は、食品及びユーザの人体を含む抵抗値であるため、ユーザによって、抵抗値テーブル１５２の値は異なることとなる。なお、制御部１１１は、初期設定段階において、ユーザに器具１０を咥えさせ、ユーザの人体の抵抗値を取得し、当該人体の抵抗値に基づいて、抵抗値テーブル１５２の値を較正することとしてもよい。
【００３３】
更に、記憶部１０４には、図５（ａ）に示すような、処方薬テーブル１５４も格納されている。処方薬テーブル１５４は、薬名、病名、処方日、服用期間の各フィールドを有する。処方薬テーブル１５４に格納されるデータは、後述する薬局側端末３００から取得されたデータである。
【００３４】
また、記憶部１０４には、測定電極１１を用いて取得されるユーザの日々の食事の履歴を記憶する食事ログ１５６（図５（ｂ）参照）が記憶される。食事ログ１５６には、日時、食品、摂取量のフィールドが設けられている。日時のフィールドには、日付及び食事の分類（朝食、昼食、夕食など）が記録される。食品のフィールドには、ユーザが口にした食品の名称が記録される。摂取量のフィールドには、ユーザが食品を口にした分量（図５（ｂ）では、何口か）が記録される。この食事ログ１５６からは、ユーザが良く摂取する食品や、ほとんど口にしない食品などが分かるようになっている。
【００３５】
図１に戻り、表示部１０５は、携帯端末１００本体の所定面（以下、主面と呼ぶ）に設けられ、画像、各種情報およびボタン等の操作入力用画像を表示する。表示部１０５は、一例として、例えば液晶表示素子を用いたデバイスであるものとする。
【００３６】
タッチパネル１０６は、ユーザが触れたことに応じて情報を入力する。タッチパネル１０６は、表示部１０５上または表示部１０５に組み込まれて設けられる。したがって、タッチパネル１０６は、ユーザが表示部１０５の表面をタッチすることにより、種々の情報を入力する。マイク１０７は、携帯端末１００本体の主面側であって、表示部１０５の下方に設けられ、ユーザが電話機能を使用する際に口元に位置するようになっている。スピーカ１０８は、携帯端末１００本体の主面側であって、表示部１０５の上方に設けられ、ユーザが電話機能を使用する際に耳元に位置するようになっている。
【００３７】
撮像部１０９は、表示部１０５の上方でスピーカ１０８の近傍に設けられており、ユーザが携帯端末１００を保持している際（使用している際）のユーザの状況を撮像するものである。この撮像部１０９は、撮影レンズや、ＲＧＢベイヤー配列の撮像素子（ＣＣＤおよびＣＭＯＳデバイス）などから構成されている。なお、撮像部１０９は、主面の反対側の面（裏面）に設けることとしてもよい。
【００３８】
カレンダー部１１０は、年、月、日、時刻といった時間情報を取得して、制御部１１１に出力する。なお、カレンダー部１１０に計時機能を持たせて、ユーザの食事にかかる時間を計測するようにしてもよい。
【００３９】
制御部１１１は、ＣＰＵを有し、携帯端末１００全体を制御する。本第１の実施形態においては、制御部１１１は、ユーザの食事に関するログ収集の処理を実行するとともに、ユーザが服用している薬と食品との食べ合わせが悪い場合にユーザに報知や注意喚起する処理を実行する。
【００４０】
（携帯端末２００）
携帯端末２００は、本第１の実施形態においては、ユーザの妻が所持する携帯端末であるものとする。携帯端末２００では、夫の食事の履歴や夫による摂取が禁止されている又は制限されている食品の情報を携帯端末１００から受信する。なお、本第１の実施形態では、携帯端末２００から人体通信部を省略しているが、携帯端末１００と同様、人体通信部を備えていてもよい。なお、携帯端末２００のその他の構成は、携帯端末１００と同一の構成とすることができる。なお、携帯端末２００の各構成は、携帯端末１００の各構成に対して符号のみが異なる（携帯端末１００の各構成の符号に１００を加算しているのみである）ので、詳細な説明は省略するものとする。
【００４１】
（薬局側端末３００）
薬局側端末３００は、薬局で薬剤師が利用する端末であり、ユーザが服用する薬に関する情報を携帯端末１００に送信するためのものである。薬局側端末３００は、通信部３０２、表示部３０１、カレンダー部３０３、記憶部３０４、及び制御部３０５を有する。
【００４２】
通信部３０２は、携帯端末１００の人体通信部１０１と通信するための電極部を有している。なお、通信部３０２の通信方式は、人体通信に限定されるものではなく、通信であってもよい。例えば、ユーザが、胸ポケット等に携帯端末１００を入れた状態で、電極部に触れると、通信部３０２及び人体通信部１０１を介して、携帯端末１００の制御部１１１と薬局側端末３００の制御部３０５との間で情報のやり取りが行われる。
【００４３】
表示部３０１は、液晶表示素子などを用いた表示を行い、ユーザに渡す薬の情報を表示するものである。ユーザは、表示部３０１を見ることで、医師に処方してもらった薬や、購入する薬の情報を視認することができる。
【００４４】
また、表示部３０１は、ユーザに対して“薬のデータを携帯端末に送信しますか”というようなメッセージを表示するとともに、“はい”、“いいえ”というアイコンを表示して、ユーザにアイコンをタッチさせるようにする。そして、本第１の実施形態においては、人体通信を用いるので、例えばユーザが“はい”というアイコンに触れたときに人体通信が成立するようにしておくことで、携帯端末１００にユーザが服用する薬のデータ（薬名、病名、服用期間など）を送信することが可能となる。なお、通信部３０２が近接通信を行う場合には、ユーザが携帯端末１００を“はい”というアイコンにかざしたときに近接通信が成立するようにしておけばよい。なお、携帯端末１００では、薬局側端末３００から受信したユーザが服用する薬のデータを、図５（ａ）の処方薬テーブル１５４に格納する。
【００４５】
カレンダー部３０３は、年、月、日、時刻といった日時情報を取得するものであり、通信部３０２がユーザの携帯端末１００に薬のデータを送信するときに、その日時も送信するように日時情報を出力する。なお、携帯端末１００では、薬局側端末３００から受信した日時情報を、図５（ａ）の処方薬テーブル１５４の処方日のフィールドに格納する。
【００４６】
記憶部３０４は、不揮発性のメモリを有し、複数のユーザの薬の服用に関するデータを記憶するものである。また、記憶部３０４は、これに加え、薬を服用する際の注意事項を記憶していてもよい。この場合、通信部３０２は、薬のデータや日時情報と併せて、薬を服用する際の注意事項の中から、薬との食べ合わせに関する情報を携帯端末１００に送信するようにしてもよい。なお、携帯端末１００では、薬との食べ合わせに関する情報を、食べ合わせテーブル１５０（図３）に格納する。
【００４７】
制御部３０５は、ＣＰＵを有し、薬局側端末３００全体を制御するものである。本第１の実施形態においては、ユーザの携帯端末１００に薬に関する各種データを送信するための制御を行う。
【００４８】
（制御部１１１の処理）
次に、本第１の実施形態の携帯端末１００の制御部１１１による処理について、図６のフローチャートに沿って、詳細に説明する。なお、本第１の実施形態では、夫が、医師の処方箋に従って薬局においてワルファリンを５日分購入したものとする。そして、携帯端末１００の記憶部１０４（処方薬テーブル１５４（図５（ａ）））には、薬局側端末３００との間の人体通信によって受信した情報が格納されているものとする。なお、制御部１１１は、図３の食べ合わせテーブル１５０と、図５（ｂ）の食事ログ１５６とを参照し、食品の摂取を禁止または制限されている食品をユーザが摂取する可能性や傾向がある場合に図６のフローチャートを実行してもよく（食品の摂取を禁止または制限されている食品をユーザが摂取する可能性がない場合には実行しない）、夫が薬を服用している場合には図６のフローチャートを実行するようにしてもよい。
【００４９】
図６の処理では、まず、ステップＳ１０において、制御部１１１は、ユーザが食事を開始したことを検出するまで待機する。この場合、制御部１１１は、ユーザが携帯端末１００を保持した状態（例えば胸ポケットに入れた状態）で器具１０を保持したことにより、携帯端末１００と器具１０との間で人体通信が成立したことが検出された段階で、食事が開始されたと判断することができる。なお、制御部１１１は、位置検出部１０３による検出結果（ユーザの位置データ）や、カレンダー部１１０から出力される日時情報も加味してユーザが食事を開始したかどうかを判断することとしてもよい。また、制御部１１１は、音声認識技術によって、マイク１０７が“いただきます”といった特定の言葉を入力したことを検出したときに、食事を開始したと判断するようにしてもよい。
【００５０】
ユーザが食事を開始すると、制御部１１１は、ステップＳ１２に移行し、カレンダー部１１０から出力される日時情報と、位置検出部１０３による検出結果（ユーザの位置データ）を取得する。日時情報を取得するのは、ユーザの日ごとのデータ（食事ログ１５６）を取るためと、ユーザの食事を、朝食、昼食、夕食、もしくはブランチ、夜食などに分類するためである。また、位置データを取得するのは、ユーザの食事場所を特定するためである。ここでは、一例として、位置検出部１０３の位置データからユーザが会社（社員食堂）にいることが検出され、カレンダー部１１０の出力が午後１２時１５分であったため、ユーザの食事が昼食に分類されたものとする。
【００５１】
次いで、ステップＳ１４では、制御部１１１は、ユーザが薬を服用中であるか否かを判断する。すなわち、制御部１１１は、図５（ａ）の処方薬テーブル１５４を参照し、現在服用している薬があるか否かを判断する。ここで、制御部１１１は、現在服用している薬があるか否かを、現在の日付が薬の服用期間内であるか否かによって判断することとする。なお、制御部１１１は、現在の日付が、薬の服用期間に所定日数（１日や２日）を加算した期間内であるか否かを判断することで、ユーザが薬を服用中か否かを判断しても良い。薬を服用する人は、薬を飲み忘れた場合に、服用期間を超えて薬を飲む場合もあるからである。
【００５２】
制御部１１１は、ユーザが薬を服用中と判断すると（ステップＳ１４の判断が肯定されると）、ステップＳ１６に移行し、ユーザの食事に関する制限を確認する。すなわち、制御部１１１は、処方薬テーブル１５４において服用期間内である薬や、病名に対応する情報が、食べ合わせテーブル１５０内に格納されているか否かを確認する。その後は、ステップＳ１８に移行する。なお、本第１の実施形態においては、ユーザがワルファリンを服用中であるため、納豆および玉葱の摂取が禁止され、きゃべつ（摂取可能量＝３口）、ほうれん草（摂取可能量＝１口）、レタス（摂取可能量＝３口）、の摂取が制限されている。
【００５３】
なお、ステップＳ１４の判断が否定された場合には、ステップＳ１６を経ずに、ステップＳ１８に移行する。
【００５４】
ステップＳ１８に移行すると、制御部１１１は、ユーザの食事のログ取得を実行する。制御部１１１は、器具１０との人体通信により、測定電極１１が測定した食品の抵抗値、すなわち、ユーザが口にした食品の抵抗値を取得すると、抵抗値テーブル１５２に基づいて、ユーザが何を食べたか（口にしたか）を検出し、記憶部１０４（食事ログ１５６）に記憶する。なお、器具１０のメモリ部１２に抵抗値のテーブルが格納されている場合には、器具１０からはユーザが摂取した食品名が送信されてくるので、制御部１１１は、受信した食品名を記憶部１０４（食事ログ１５６）に記憶する。
【００５５】
次いで、ステップＳ２０では、制御部１１１は、ユーザが口にした食品に対して、注意喚起が必要か否かを判断する。
【００５６】
例えば、ユーザが、昼食においてサラダに入っているレタスを口にしたとする。この場合、レタスが摂取制限食品に該当するため、レタスが１日の通算で３口目を越えていた場合には、ステップＳ２０の判断が肯定され、制御部１１１は、ステップＳ２２に移行する。ステップＳ２２に移行すると、制御部１１１は、ユーザへの注意を喚起する。ユーザへの注意喚起としては、例えば、携帯端末１００のスピーカ１０８により“レタスの摂取は控えてください”などの音声案内をすることができる。あるいは、不図示の振動子により携帯端末１００を振動させてもよいし、携帯端末１００を振動させるとともに、表示部１０５にメッセージ“レタスの摂取は控えてください”などと表示することとしてもよい。
【００５７】
ステップＳ２２の処理が終了した後、あるいはステップＳ２０の判断が否定された後は、制御部１１１は、ステップＳ２４に移行する。ステップＳ２４では、制御部１１１は、ユーザが食事を終了したか否かを判断する。この場合、制御部１１１は、器具１０との人体通信が途切れてから所定時間（例えば、５分）経過したり、ユーザが移動したり、音声認識技術によって、マイク１０７が“ご馳走様でした”といった特定の言葉を入力したことを検出したときに、食事が終了したと判断する。ステップＳ２４の判断が否定された場合には、まだ食事中であるので、ステップＳ１８〜Ｓ２４の処理・判断を繰り返す（食事のログ取得と注意喚起を実行する）。なお、コップやグラスから液体を摂取していることを検出する場合、本願出願人が先に出願した特願２０１２-１３５９０１号に記載した方法を用いることができる。
【００５８】
なお、上述したステップＳ１４において、ユーザが薬を服用していないと判断された場合には、ステップＳ２０の判断及びステップＳ２２の処理を省略してもよい。
【００５９】
ユーザが食事を終え、ステップＳ２４の判断が肯定された場合には、ステップＳ２６に移行し、制御部１１１は、カレンダー部１１０の出力から、現在の日時情報を取得する。制御部１１１は、ステップＳ２６で取得した日時情報と、ステップＳ１２で取得した日時情報から、ユーザが食事に要した時間を算出することができる。これにより、制御部１１１は、ユーザが早食いであったか否かを判断することができる。なお、制御部１１１は、測定電極１１の抵抗値の変化からユーザが料理を口に運ぶ頻度を検出することもできる。
【００６０】
次いで、ステップＳ２８では、制御部１１１は、食事に関する報知を行う。この場合、制御部１１１は、不図示の振動子により携帯端末１００を振動させた後に、表示部１０５にメッセージを表示するようにすればよい。制御部１１１は、メッセージとして、例えば、“現在服用中の薬（ワルファリン）を服用している間はレタスの摂取を控えましょう”や“早食いの傾向にあります”などを表示することができる。また、制御部１１１は、ステップＳ２４の食事終了から３０分以内に薬を服用したかどうかの報知をユーザに対して行うようにしてもいい。これにより、ユーザが食後に薬を服用するのを忘れてしまうことを防止することができる。
【００６１】
次いで、ステップＳ３０では、制御部１１１は、ユーザ（夫）の食事に関するデータを妻が所持している携帯端末２００に対して、無線通信部１０２を介して送信する。制御部１１１は、例えば、夫の食事のログに基づいて、図７に示すような夫の摂取禁止又は制限食品に関する情報を携帯端末２００に対して送信する。これにより、妻は、夕食において夫が摂取してはいけない食品を知ることができるため、摂取してはいけない食品の購入を控えたり、当該食品を使った料理を作らないようにすることが可能になる。
【００６２】
なお、携帯端末２００の制御部２１１は、夫の携帯端末１００から図７の情報を受信した段階で、表示部２０５上に表示することとしてもよいが、これに限らず、例えば、位置検出部２０３の出力から妻がスーパーマーケットなどの食品を扱っている店舗にいることが検出されたタイミングで、表示部２０５に対して図７に示すような情報を表示することとしてもよい。これにより、妻は、夕食の食材を購入する適切なタイミングで、夫の摂取禁止又は制限食品を知ることができる。
【００６３】
なお、制御部１１１は、食事のログから、ユーザ（夫）が朝食や夕食においてよく摂取する食品か否かを判別することができるので、当該判別結果を加味した情報を携帯端末２００に対して送信することもできる。例えば、ユーザ（夫）が普段の食事において納豆を全く食べない場合には、図７の情報において納豆の文字をその他（レタスなど）の文字よりも小さく表示するなどしてもよい。
【００６４】
なお、図７の処理は、携帯端末１００の電源がＯＮされている間は繰り返し実行される。
【００６５】
以上、詳細に説明したように、本第１の実施形態の携帯端末１００によると、摂取禁止又は制限食品に関するデータを記憶部１０４に記憶しておき、制御部１１１は、記憶部１０４に記憶されている食品をユーザが口にした（摂取された、又は摂取されそう）という情報を器具１０から取得した場合に、スピーカ１０８や表示部１０５を介してユーザに報知する。これにより、ユーザが食事前に摂取禁止又は制限食品を予め確認したりしなくても、ユーザによる食品の摂取を防止することができる。すなわち、本第１の実施形態の携帯端末１００によれば、ユーザの食品摂取に関する管理を適切に行うことができる。
【００６６】
また、本第１の実施形態では、記憶部１０４に、薬と関連して、摂取禁止又は制限食品の情報を記憶する。これにより、薬服用中のユーザが薬との食べ合わせの悪い食品を摂取するのを防止できるので、薬との食べ合わせの悪い食品を摂取することによるユーザの体調の悪化を抑制することができる。
【００６７】
また、本第１の実施形態では、制御部１１１は、人体通信を介して、薬局側端末３００からユーザが服用すべき薬の情報（処方薬テーブル１５４の情報）を取得する。また、記憶部１０４には、薬の服用に際しての摂取禁止又は制限食品の情報が記憶されている（食べ合わせテーブル１５０）。これにより、薬局側端末３００から送信されてくる情報に摂取禁止又は制限食品の情報が含まれていない場合でも、制御部１１１は、ユーザの食品摂取に関する管理を適切に行うことができる。
【００６８】
また、本第１の実施形態では、制御部１１１は、処方薬テーブル１５４において、薬の服用期間に応じて、食品摂取を制限する期間を設定するので（Ｓ１４）、ユーザが薬を服用している蓋然性の高い期間だけ食品摂取を制限することができる。
【００６９】
また、本第１の実施形態では、制御部１１１は、器具１０から、食品の摂取状況を受信するので、ユーザが食品を摂取したことを手入力するような場合と比較して、ユーザの使い勝手を向上することができる。
【００７０】
また、本第１の実施形態では、制御部１１１は、夫の食事の情報を妻の携帯端末２００に送信するので、夫の食事の情報を家族間で共有することができる。これにより、より効果的な食品摂取に関する管理を行うことができる。
【００７１】
また、本第１の実施形態では、器具１０から受信した食事のログを記憶部１０４（食事ログ１５６）に記憶するので、摂取が禁止又は制限されている食品に関する報知はもちろん、食事にかけた時間や摂取品目数などの食事の情報をユーザに対して報知することができる。
【００７２】
また、本第１の実施形態では、摂取制限食品（摂取可能量が定められている食品）を摂取した場合に、ユーザの摂取量に応じて、注意喚起、報知のタイミングを異ならせている。これにより、食事中の緊急を要さないタイミングにおいては注意喚起が行われないようにすることができるので、ユーザの使い勝手を向上することができる。
【００７３】
なお、上記第１の実施形態では、ステップＳ２０において、１日の摂取可能量を越えていない場合には、注意喚起をしない場合について説明したが、これに限らず、摂取制限食品を口にした場合には、毎回、注意喚起（Ｓ２２）を行うこととしてもよい。この場合、残りの摂取可能量をユーザに対して通知するようにしてもよい。
【００７４】
なお、上記第１の実施形態では、制御部１１１が、薬の服用期間に応じて摂取禁止又は制限食品の摂取を制限する期間を設定する場合（Ｓ１４）について説明したが、これに限られるものではない。例えば、制御部１１１は、ユーザの入力に応じて、制限する期間を設定することとしてもよい。
【００７５】
なお、上記第１の実施形態では、薬の服用中の食事制限について説明したが、薬を服用していなくても、病気療養中や、検査の日程が決まっている場合などにおいて摂取を控えたほうがよい食品（アレルギー食品も含む）がある場合には、これを記憶部１０４に記憶することで、上記第１の実施形態と同様の食事制限に関する報知（注意喚起）を行うことができる。
【００７６】
なお、上記第１の実施形態では、携帯端末１００のスピーカ１０８や表示部１０５、不図示の振動子などを用いて、ユーザに対する注意喚起を行う場合について説明したが、これに限られるものではない。例えば、制御部１１１は、人体通信や近接通信により、記憶部１０４に記憶されている摂取禁止又は制限食品の抵抗値を器具１０に送信しておき、測定電極１１の検出した抵抗値と摂取禁止又は制限食品の抵抗値とが一致した場合に、器具１０の制御部１４が、器具１０を振動させるなどしてユーザに報知するようにしてもよい。
【００７７】
なお、上記第１の実施形態では、服用中の薬に応じて、摂取が禁止又は制限されている食品に関する注意喚起を行う場合について説明したが、これに限られるものではない。例えば、薬を服用している間において激しい運動が禁止されている場合には、制御部１１１は、携帯端末１００に設けられた加速度センサや、ジャイロセンサの検出結果に基づいて、ユーザが激しい運動をしているかどうかを検出し、激しい運動を避けるようユーザに報知するようにしてもよい。
【００７８】
なお、上記第１の実施形態では、器具１０の測定電極１１が、ユーザが食品を口にした場合の抵抗値を検出するものとしていたが、これに限られるものではなく、測定電極１１は、例えば、器具１０と接触した食品の塩分量や糖分量、カロリー等を検出してもよい。この場合、制御部１１１は、ユーザが患っている病気に応じて、１日の塩分量や糖分量、カロリー等が規定値を超えた場合にユーザに対して注意喚起を行ったり、摂取した塩分量や糖分量、カロリー等を報知することとしてもよい。
【００７９】
なお、上記第１の実施形態では、制御部１１１は、ユーザの食事に関する情報を家族が利用する携帯端末２００に対して送信する場合について説明したが、これに限らず、例えば、制御部１１１は、ユーザのかかりつけの医師が利用する端末に対してユーザの食事に関する情報を送信するようにしてもよい。
【００８０】
なお、薬局で処方された薬を服用しているユーザが、市販薬を購入する場合もある。このような場合でも、薬局で処方された薬と同時に服用してはいけない市販薬の情報を記憶部１０４に記憶しておき、市販薬の情報を人体通信可能な装置（上記第１の実施形態の器具１０に相当）を市販薬に取り付けておけば、制御部１１１は、ユーザが購入すべきでない市販薬をドラッグストア等で手に取ったタイミングで注意喚起を行うことが可能となる。これにより、ユーザが服用してはいけない市販薬を誤って購入するのを防止することができる。
【００８１】
なお、上述した制御部１１１、２１１の処理の一部をサーバが実行することとしてもよい。
【００８２】
なお、上記第１の実施形態では、電子機器として携帯端末１００を採用した場合について説明したが、これに限られるものではない。例えば、電子機器は、上記実施形態で説明した携帯端末１００の機能を設けた、メガネ、補聴器、腕時計などの人体に身につけるものであってもよい。
【００８３】
《第２の実施形態》
次に、図８〜図１０に基づいて、第２の実施形態について詳細に説明する。なお、本第２の実施形態では、図８に示すように、第１の実施形態において夫が利用していた携帯端末１００に代えて眼鏡型装置４００を採用するとともに、器具１０に代えて一般的な箸やスプーン、フォークなどを利用するものとする。
【００８４】
（眼鏡型装置４００）
眼鏡型装置４００は、図８に示すように、撮像部４１１、表示部４１２、操作部４１３、マイク４１４、記憶部４１５、人体通信部４１６、カレンダー部４１８、スピーカ４１９、無線通信部４２０、位置検出部４２１および制御部４１７等を備える。なお、図９には、眼鏡型装置４００が斜視図にて示されている。図９に示すように、眼鏡型装置４００は、眼鏡型のフレーム５１０を備えている。なお、図８において図示され、図９において図示されていない眼鏡型装置４００の構成は、フレーム５１０の内部や、フレーム５１０の一部に設けられているものとする。
【００８５】
撮像部４１１は、レンズ、撮像素子、画像処理部などを備え、静止画や動画を撮像するものである。撮像部４１１は、図９に示すようにフレーム５１０の端部近傍（ユーザの右目近傍）に設けられている。このため、ユーザ（夫）が眼鏡型装置４００を装着した状態では、ユーザ（夫）が向いている（見ている）方向の画像を撮像することができる。
【００８６】
表示部４１２は、フレーム５１０内部又はフレーム５１０近傍に設けられたプロジェクタと、プロジェクタからの投影像をユーザの目に導くためのプリズムとを有している。表示部４１２は、制御部４１７の指示の下、各種情報を表示する。本第２の実施形態において、表示部４１２は、前述した図３の摂取が禁止されている食品や、制限される食品の文字や画像やイラストを表示する。この場合、画像やイラストのデータは、後述の無線通信部４２０を用いてインターネットから画像データを取得するようにしてもよい。
【００８７】
操作部４１３は、フレーム５１０に設けられたタッチパッドであり、ユーザの指の動きを検知して、ユーザからの操作を受け付け、受け付けた操作情報を制御部４１７に送信する。
【００８８】
なお、撮像部４１１、表示部４１２、操作部４１３については、例えば、米国公開特許２０１３／００４４０４２号にもその詳細が開示されている。
【００８９】
マイク４１４は、フレーム５１０に設けられ、ユーザが発した音声やユーザの周辺の音声を収集する。マイク４１４が収集した音声は、不図示の音声認識部により音声認識され、音声認識結果は、制御部４１７に送信される。制御部４１７は、音声認識結果に基づく処理（例えば、コマンドの実行処理など）を実行する。なお、制御部４１７が音声認識を実行してもよい。
【００９０】
記憶部４１５は、例えば、フラッシュメモリ等の不揮発性の半導体メモリであり、撮像部４１１が撮像した画像データ、表示部４１２に表示する表示データ、及び各種プログラムなどを記憶する。また、記憶部４１５には、図３の食べ合わせテーブル１５０、図５（ａ）の処方薬テーブル１５４、図５（ｂ）の食事ログ１５６も記憶されている。更に、記憶部４１５には、図１０に示す外観特徴パラメータテーブル１５２’も記憶されている。
【００９１】
人体通信部４１６は、他の機器（本第２の実施形態では薬局側端末３００）と人体通信を行うものである。なお、人体通信部４１６の電極部は、フレーム５１０に設けられているものとする。なお、第１の実施形態と同様に人体通信に代えて近接通信を用いるようにしてもよい。
【００９２】
カレンダー部４１８は、第１の実施形態と同様、年、月、日、時刻といった時間情報を取得して、制御部４１７に出力する。なお、カレンダー部４１８に計時機能を持たせて、ユーザの食事にかかる時間を計測するようにしてもよい。
【００９３】
スピーカ４１９は、例えば、フレーム５１０に設けられ、制御部４１７の制御の下、音声を出力する音声出力装置である。なお、スピーカ４１９としては、イヤホンやヘッドホンのほか、指向性があり、主に眼鏡型装置４００を装着するユーザに音声情報を提供することが可能なスピーカなどを採用することができる。
【００９４】
無線通信部４２０は、他の装置（本第２の実施形態では携帯端末２００）との通信やネットワークへの接続を可能にするものであり、各種無線通信方式を採用することができる。本第２の実施形態においては、無線通信部４２０は、携帯端末２００に対して、ユーザが摂取した食品に関する情報を送信したり、インターネットなどから薬と食品の食べ合わせに関する情報（食べ合わせテーブル１５０（図３）の情報）や前述した画像やイラストを取得したりする。
【００９５】
位置検出部４２１は、第１の実施形態と同様、一例として、ＧＰＳモジュールであるものとする。
【００９６】
制御部４１７は、眼鏡型装置４００全体を統括的に制御する。制御部４１７は、ＣＰＵ、ＲＡＭ、ＲＯＭ等を備える。
【００９７】
なお、本第２の実施形態では、眼鏡型装置４００の構成各部は、第１の実施形態で説明した携帯端末１００の対応する構成と同一又は同等の機能を有している。
【００９８】
（携帯端末２００）
携帯端末２００の基本的な構成は、第１の実施形態と同様である。無線通信部２０２は、眼鏡型装置４００と通信し、夫の食事の履歴や夫による摂取が禁止されている又は制限されている食品の情報を眼鏡型装置４００から受信する。なお、妻の携帯端末２００を眼鏡型装置４００としてもよく、位置検出部２０３により妻がスーパーマーケットにいる場合に、摂取が禁止されている又は制限されている食品の文字、画像、イラストを表示部４１２に表示させるようにしてもよい。
【００９９】
（薬局側端末３００）
薬局側端末３００の基本的な構成も、第１の実施形態と同様である。通信部３０２は、ユーザ（夫）が、眼鏡型装置４００を装着した状態で、眼鏡型装置４００の人体通信部４１６と通信する。
【０１００】
（制御部４１７の処理）
次に、本第２の実施形態の眼鏡型装置４００の制御部４１７による処理について説明する。なお、制御部４１７は、基本的には、第１の実施形態で説明した図６のフローチャートに沿った処理を実行する。以下においては、第１の実施形態と異なる点を中心に説明する。なお、撮像部４１１は、静止画を撮像する場合には、所定時間間隔で撮像を繰り返し、動画を撮像する場合には、所定のフレームレートでの撮像を実行する。
【０１０１】
図６の処理では、まず、ステップＳ１０において、制御部４１７は、ユーザが食事を開始したことを検出するまで待機する。この場合、制御部４１７は、撮像部４１１により撮像される画像（動画又は静止画）に基づいて、ユーザが箸やスプーン、フォークなどを手に持ったことを検出した段階で、食事が開始されたと判断することができる。なお、制御部４１７は、位置検出部４２１による検出結果や、カレンダー部４１８から出力される日時情報も加味してユーザが食事を開始したかどうかを判断することとしてもよい。また、制御部４１７は、音声認識技術によって、マイク４１４が“いただきます”といった特定の言葉を入力したことを検出したときに、食事を開始したと判断するようにしてもよい。ここで、制御部４１７は、食事の開始のタイミングや、ステップＳ２２のタイミングで摂取が禁止されている又は制限されている食品の文字、画像、イラストを表示部４１２に表示させるようにしてもよい。また、制御部４１７は、記憶部４１５に摂取が禁止されている又は制限されている食品の画像データが記憶されている場合に、撮像部４１１が撮像した画像と、食品の画像データとを比較して、摂取が禁止されている又は制限されている食品が撮像された場合にユーザに対して報知をするようにしてもよい。
制御部４１７は、食事を開始したと判断した後、ステップＳ１２に移行する。
【０１０２】
なお、ステップＳ１２〜Ｓ１６においては、第１の実施形態と同様の処理が行われる。
【０１０３】
ステップＳ１８に移行すると、制御部４１７は、ユーザの食事のログ取得を実行する。制御部４１７は、撮像部４１１が撮像した画像と、図１０の外観特徴パラメータテーブル１５２’と、に基づいて、ユーザが箸やスプーン、フォークなどを使って、あるいは手づかみで、食品を口に運ぼうとしていること又は運んだことを検出する。ここで、外観特徴パラメータテーブル１５２’は、食品と外観特徴パラメータとを関連付けて記憶するテーブルである。外観特徴パラメータは、食品の形状、表面の色合い、模様、凹凸状況等のような食品の外観の特徴量を食品ごとに数値化したものである。したがって、制御部４１７は、撮像部４１１が撮像した画像において、ユーザが箸等を使って食品を摘んだことを検出した後、食品が撮像部４１１側に近づいてきて、その後、食品が箸から無くなったことを検出した場合、その食品が口に運ばれた食品（ユーザが食べた食品）であると判断する。そして、制御部４１７は、その食品の形状や色合い、模様や凹凸状況などから外観の特徴量を算出する。更に、制御部４１７は、外観特徴パラメータテーブル１５２’を参照して、算出した特徴量と一致（又は近似）する食品をユーザが口にした食品として、記憶部４１５（食事ログ１５６）に記憶する。なお、外観特徴パラメータ等については、特開２０１３−２１４３３６号公報にも開示されている。なお、制御部４１７は、ユーザが箸等を所定距離以上近づけた食品又はユーザが箸等を使って摘んだ食品を、ユーザが口にしようとしている食品として検出することとしてもよい。
【０１０４】
その他、ステップＳ２０〜Ｓ３０の処理は、第１の実施形態と同様である。なお、ステップＳ２２の注意喚起においては、制御部４１７は、眼鏡型装置４００の表示部４１２に対して注意喚起に関する表示を行ったり、スピーカ４１９から注意喚起に関する音声を出力したりすることができる。また、ステップＳ２４では、制御部４１７は、食事終了を、撮像部４１１の撮像した画像に基づいて判断してもよい。この場合、例えば、制御部４１７は、画像からテーブルの上の食べ物がなくなったことやデザートを食べ終わったことなどを検出した場合に食事終了と判断してもよい。
【０１０５】
以上説明したように、本第２の実施形態によると、摂取禁止又は制限食品に関するデータを記憶部４１５に記憶しておき、制御部４１７は、記憶部４１５に記憶されている食品を摂取した、又は摂取しそうという情報を撮像部４１１の画像から取得した場合に、表示部４１２やスピーカ４１９を介してユーザに報知する。これにより、ユーザが食事前に摂取禁止又は制限食品を予め確認したりしなくても、ユーザによる食品の摂取を防止することができる。すなわち、本第２の実施形態の眼鏡型装置４００によれば、ユーザの食品摂取に関する管理を適切に行うことができる。また、本第２の実施形態では、その他の第１の実施形態と同様の効果も奏される。
【０１０６】
なお、上記第２の実施形態では、第１の実施形態の器具１０を併用してもよい。これにより、ユーザが食品を摂取した、又は摂取しそうという情報をより高精度に検出することができる。例えば、制御部４１７は、器具１０の測定電極１１が測定した抵抗値から食品が特定できない場合や、食品の候補が複数あった場合などに撮像部４１１が撮像した画像から食品を特定するようにしてもよい。また、撮像部４１１が撮像した画像が豚肉か牛肉かが特定できない場合に、器具１０の測定電極１１が測定した抵抗値から豚肉か牛肉かを特定するようにしてもよい。
【０１０７】
なお、上記第２の実施形態では、眼鏡型装置４００が第１の実施形態の携帯端末１００と同等の機能を有する場合について説明したが、これに限られるものではない。例えば、眼鏡型装置４００は、撮像部４１１、記憶部４１５、無線通信部４２０などの必要最小限の機能のみを備えることとし、図８の眼鏡型装置４００のその他の機能をユーザ（夫）が保有する携帯端末１００が実現してもよい。
【０１０８】
なお、上述した制御部４１７の処理の一部をサーバが実行することとしてもよい。
【０１０９】
なお、上記第２の実施形態では、眼鏡型装置を採用したが、これに限らず、コンタクトレンズ型端末のようにユーザの体のその他の位置（撮像部４１１がユーザの視線の先を撮像できる位置）に装着される装置であってもよい。
【０１１０】
なお、上記各実施形態において、上述した処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１１１】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１１２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１３】
上述した実施形態は本発明の好適な実施の例である。但し、これに限定されるものではなく、本発明の要旨を逸脱しない範囲内において種々変形実施可能である。なお、これまでの説明で引用した公報、国際公開公報、米国特許出願公開明細書及び米国特許明細書の開示を援用して本明細書の記載の一部とする。
【符号の説明】
【０１１４】
１００  携帯端末
１０１  人体通信部
１０２  無線通信部
１０４  記憶部
１０５  表示部
１０８  スピーカ
１１１  制御部
２００  携帯端末
４００  眼鏡型装置
【図１】
2018181385.tif 000003
【図２】
2018181385.tif 000004
【図３】
2018181385.tif 000005
【図４】
2018181385.tif 000006
【図５】
2018181385.tif 000007
【図６】
2018181385.tif 000008
【図７】
2018181385.tif 000009
【図８】
2018181385.tif 000010
【図９】
2018181385.tif 000011
【図１０】
2018181385.tif 000012
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
第１外部機器から発信される摂取前の第１の薬または飲食物の摂取前情報と、前記第１外部機器とは異なる第２外部機器から発信される前記第１の薬または飲食物の摂取者の行動に関する行動情報と、を受信する受信部と、
前記摂取前情報と第２の薬または飲食物の情報とにより、前記第１の薬または飲食物が前記第２の薬または飲食物との組み合わせを禁止または制限される場合に、前記第１の薬または飲食物と前記第２の薬または飲食物との少なくとも一方が組み合わせを禁止または制限されていることを示す制限情報を送信する送信部と、
を備え、
前記送信部は、前記行動情報に応じて、前記制限情報を送信する電子機器。
【請求項２】
前記行動情報は、前記第２外部機器から前記第１外部機器を経由して前記受信部が受信する請求項１に記載の電子機器。
【請求項３】
前記送信部は、前記制限情報を前記第１外部機器に送信する請求項１または２に記載の電子機器。
【請求項４】
前記送信部は、前記行動情報が前記第１外部機器により受信された後に、前記制限情報を前記第１外部機器へ送信する請求項３に記載の電子機器。
【請求項５】
前記送信部は、前記制限情報を前記第１外部機器および前記第２外部機器とは異なる第３外部機器に送信する請求項１〜４のいずれか１項に記載の電子機器。
【請求項６】
前記第３外部機器は、前記第１外部機器と通信可能である請求項５に記載の電子機器。
【請求項７】
前記第３外部機器は、前記摂取者とは異なる操作者により操作され、
前記送信部は、前記第３外部機器が前記操作者の所望のタイミングまたは前記操作者が所定の行動をとっているタイミングに応じて表示するための前記制限情報を前記第３外部機器に送信する請求項５または６に記載の電子機器。
【請求項８】
前記第３外部機器は、前記摂取者とは異なる操作者により操作され、
前記送信部は、前記第３外部機器の位置に応じて表示するための前記制限情報を前記第３外部機器に送信する請求項５〜７のいずれか１項に記載の電子機器。
【請求項９】
前記受信部は、前記摂取者に関する摂取者情報と、前記第２の薬または飲食物に関する情報を受信する請求項１〜８のいずれか１項に記載の電子機器。
【請求項１０】
前記受信部は、前記摂取者情報と、前記第２の薬または飲食物に関する情報とを、前記第１外部機器から受信する請求項９に記載の電子機器。
【請求項１１】
前記第１の薬または飲食物と、前記摂取者に関する摂取者情報と、前記第１の薬または飲食物との組み合わせが禁止または制限される薬又は飲食物を記憶する記憶部を備える請求項１〜１０のいずれか１項に記載の電子機器。
【請求項１２】
前記行動情報は、前記摂取者が前記第２外部機器を保持したこと又は保持していないことを示す情報である請求項１〜１１のいずれか１項に記載の電子機器。
【請求項１３】
前記送信部は、前記第２の薬または飲食物とともに摂取できる前記第１の薬または飲食物の量を送信する請求項１〜１２のいずれか１項に記載の電子機器。
【請求項１４】
第１外部機器から発信される摂取前の第１の薬または飲食物の摂取前情報を受信する工程と、
前記第１外部機器とは異なる第２外部機器から発信される前記第１の薬または飲食物の摂取者の行動に関する行動情報を受信する工程と、
前記摂取前情報および前記行動情報を受信すると、前記第１の薬または飲食物が第２の薬または飲食物との飲み合わせまたは食べ合わせを禁止または制限されている場合に、組み合わせを禁止または制限されていることを示す制限情報を送信する工程と、をコンピュータが実行する情報送信方法。
【手続補正３】
【補正対象書類名】明細書
【補正対象項目名】０００１
【補正方法】変更
【補正の内容】
【０００１】
本発明は、電子機器及び情報送信方法に関する。
【手続補正４】
【補正対象書類名】明細書
【補正対象項目名】０００５
【補正方法】変更
【補正の内容】
【０００５】
本発明は上記の課題に鑑みてなされたものであり、飲食物の摂取に関する管理を行うことが可能な電子機器及び情報送信方法を提供することを目的とする。
【手続補正５】
【補正対象書類名】明細書
【補正対象項目名】００１２
【補正方法】変更
【補正の内容】
【００１２】
本発明の電子機器及び情報送信方法は、飲食物の摂取に関する管理を行うことができるという効果を奏する。
【手続補正６】
【補正対象書類名】明細書
【補正対象項目名】００３１
【補正方法】変更
【補正の内容】
【００３１】
なお、薬と食品との食べ合わせに関する詳細な情報は、（http://www.jsmi.jp/book/base_05.html）に記載されている。なお、説明の便宜上、図３の食べ合わせテーブル１５０の摂取可能量のフィールドには、実際の摂取可能量とは異なる値が入力されているものとする。